(57)【要約】  【課題】肩掛けベルトや腰ベルトの長さ調整をした後でも、装着される携帯機器の位置を任意に、また容易に変更できる携帯機器固定ベルトを提供する。  【解決手段】携帯機器固定ベルトを、長さ調節用のバックル２を備えた布製の腰ベルト１と、同腰ベルト１の２点に端部が固定され、人体の肩と腰の間に装着される布製の肩ベルト３で構成し、肩ベルト３の両端を腰ベルト１に固定し、それぞれの両端から中央に向かって長さ調節具６を備えた長さ調節ベルト部４と、同長さ調節ベルト部４の端部に一端を固定された摺動金具７と、その両端を摺動金具７のスリット５に挿通させてリング状に形成されると共に、携帯機器固定ベルトを人体に装着した時に表面となる位置に無線機８を装着する装着金具１０を固定した摺動ベルト９とで構成し、摺動ベルト９をストッパ２０で係止する。【選択図】図１
2006000364.tif 000002
【特許請求の範囲】
【請求項１】
人体に装着されるベルト部と、携帯機器を係止するため係止ベルト部とからなる携帯機器固定ベルトにおいて、
前記係止ベルト部は、リング状に形成された摺動ベルトをスリットに挿通した２つの摺動金具が前記ベルト部に固定された摺動ベルト部と、前記摺動ベルトに備えられ、同摺動ベルトを摺動可または摺動不可に切り替えるストッパとからなることを特徴とする携帯機器固定ベルト。
【請求項２】
前記ストッパは、前記摺動金具を前記摺動ベルトのそれぞれの端部に位置させた時、前記摺動ベルトの内面同士の摩擦により、同摺動ベルトの摺動を抑止する摺動抑止部を備えてなることを特徴とする請求項１に記載の携帯機器固定ベルト。
【請求項３】
前記ストッパは、前記摺動金具を前記摺動ベルトのそれぞれの端部に位置させた時、対向する前記摺動ベルトを係止する係止部を備えてなることを特徴とする請求項１に記載の携帯機器固定ベルト。
【発明の詳細な説明】
【技術分野】
【０００１】
本発明は、携帯電話や無線通信機などの携帯機器を、身体に装着するベルトに係止すると共に、機器を係止したままでベルトの任意の位置に調整可能な携帯機器固定ベルトに関する。
【背景技術】
【０００２】
従来、携帯機器固定ベルトは図７（Ａ）の斜視図や、図７（Ｂ）の要部斜視図に示すように、布製或は柔らかい合成繊維にて製作され、腰ベルト８０には、通常のベルトと同様にバックル８１が取付けられている。この腰ベルト８０の前部にはベルトに沿って摺動する摺動環８２が取付けられており、摺動環８２は、容易に動かないようややきつめに取付けられている。
【０００３】
一方、長さ調節具８６を備えた肩ベルト８３は、両端を上記腰ベルト８０に接続して使用されるが、中間部分には平面ファスナー８４が取付けてある。この平面ファスナー８４は相互のカラミ合う繊維を布の両面に取付けて押圧して貼着するものであり、この一方の面が肩べルト８３の中間部内側に沿って長く取付けてある。
【０００４】
又この肩ベルト８３には係合環８５が通してあるが、係合環８５の内面側には前記平面ファスナーの他方の面が取付けられ、肩ベルト８３の平面ファスナー８４の部分に接合固定できる。このとき肩ベルト８３の平面ファスナー８４は長く取付けられているため、使用する時に適宜な位置に係合環８５を移動して固定すればよい。
そして例えば、通信機器のフック等（図示せず）を係合環８５に係合して取付け、使用する人の身長等によって使い易い位置に係合環８５を移動して取付けている（例えば、特許文献１参照）。
【０００５】
また、携帯機器固定ベルトの別の例としては、図８（Ａ）に示す斜視図のように形成されており、図８（Ｂ）の前側から見た装着説明図や図８（Ｃ）の後方から見た説明図のように使用されていた。
【０００６】
携帯無線機収納ケースの本体９０の裏側に上部に２個、下部に１個接続具を付け、肩掛け式にした時のバンド９１と９２をとりつけられるようにする。そして、肩掛け用バンド９２は反対側の肩に掛ける方のバンドを半ねじりして身体に添うようにして長さ調節具９３をとりつけ、携帯無線機収納ケースの本体９０にとりつける方のバンド２本はそれぞれ長さ調節具９３と保止具９４をつける。
【０００７】
また、肩掛け式に装着した時に携帯無線機を安定させる為腰ベルトに止めるバンド９１は、平面ファスナーを付けたテープに保止具を付け携帯無線機収納ケースの本体９０の下部に付けた接続具にとりつけられるようにする。
【０００８】
そして、このケースを使用するときは、携帯無線機本体をケース本体９０に入れ、肩掛け用バンド９２を右肩又は左肩に掛け、バンドの先の輪を反対側の肩に通し長さ調節具３点を使い身体に合わせて、携帯無線機本体を入れるケースの本体９０の下に付いているバンド９１を腰ベルトに通して平面ファスナーで止めている（例えば、特許文献２参照）。
【０００９】
しかしながら、図７の構造のように、平面ファスナーで通信機器を取り付ける場合は、通信機器の位置を調整するために係合環を移動させようとしても、係合環の内面で接合された状態となっているため、係合環を広げながら移動させなくてはならない。この時、一度剥離したテープが再度、接合する場合があり、決して使い勝手の良いものではなかった。
【００１０】
また、図８の構造の物では、ケースの位置を変えるためには、全体の長さを再度調整する必要があり、ほとんど、最初に決めた位置でのみ使用される場合が多かった。
【００１１】
【特許文献１】実開平４−１１８０２７号公報（第４頁、図１）
【特許文献２】特開２０００−３１２６１１号公報（第２−３頁、図１）
【発明の開示】
【発明が解決しようとする課題】
【００１２】
本発明は以上述べた問題点を解決し、肩掛けベルトや腰ベルトの長さ調整をした後でも、装着される携帯機器の位置を任意に、また容易に変更できる携帯機器固定ベルトを提供することを目的とする。
【課題を解決するための手段】
【００１３】
本発明は上述の課題を解決するため、人体に装着されるベルト部と、携帯機器を係止するため係止ベルト部とからなる携帯機器固定ベルトにおいて、
前記係止ベルト部は、リング状に形成された摺動ベルトをスリットに挿通した２つの摺動金具が前記ベルト部に固定された摺動ベルト部と、前記摺動ベルトに備えられ、同摺動ベルトを摺動可または摺動不可に切り替えるストッパとからなる構造にする。
【００１４】
また、前記ストッパは、前記摺動金具を前記摺動ベルトのそれぞれの端部に位置させた時、前記摺動ベルトの内面同士の摩擦により、同摺動ベルトの摺動を抑止する摺動抑止部を備えてなる構造にする。
【００１５】
もしくは、前記ストッパは、前記摺動金具を前記摺動ベルトのそれぞれの端部に位置させた時、対向する前記摺動ベルトを係止する係止部を備えてなる構造にする。
【発明の効果】
【００１６】
以上の手段を用いることにより、本発明による携帯機器固定ベルトによれば、請求項１に係わる発明は、
係止ベルト部を、リング状に形成された摺動ベルトをスリットに挿通した２つの摺動金具がベルト部に固定された摺動ベルト部と、摺動ベルトに備えられ、同摺動ベルトを摺動可または摺動不可に切り替えるストッパとからなる構造にすることにより、
摺動ベルトをリング状に摺動させて、この摺動ベルトに装着されている携帯機器を摺動ベルトの任意の位置に移動及び係止することができる。
【００１７】
請求項２に係わる発明は、ストッパが、摺動金具を摺動ベルトのそれぞれの端部に位置させた時、摺動ベルトの内面同士の摩擦により、同摺動ベルトの摺動を抑止する摺動抑止部を備えてなることにより、
簡単で小さな保持力を備えた構造のストッパを用いるだけで、摺動ベルトに装着されている携帯機器を摺動ベルトの任意の位置に移動及び係止することができる。
【００１８】
請求項３に係わる発明は、ストッパが、摺動金具を摺動ベルトのそれぞれの端部に位置させた時、対向する摺動ベルトを係止する係止部を備えてなることにより、
摺動ベルトに装着されている携帯機器を摺動ベルトの任意の位置に移動及び係止することができ、また、確実な係止が可能となる。
【発明を実施するための最良の形態】
【００１９】
以下、本発明の実施の形態を、添付図面に基づいた実施例として詳細に説明する。
【実施例１】
【００２０】
図１は本発明を説明するための斜視図であり、図１（Ａ）は携帯機器固定ベルトを示し、図１（Ｂ）はその要部斜視図である。
【００２１】
携帯機器固定ベルトは、人体の腰にリング状に装着され、長さ調節用のバックル２を備えた布製の腰ベルト１（ベルト部）と、同腰ベルト１の２点に端部が固定され、人体の肩と腰の間に装着される布製の肩ベルト３（係止ベルト部）で構成されている。
【００２２】
肩ベルト３は、その両端がピン状の止め金具で腰ベルト１に固定され、それぞれの両端から中央に向かって長さ調節具６を備えた長さ調節ベルト部４と、同長さ調節ベルト部４の端部に一端を固定された摺動金具７と、その両端を摺動金具７のスリット５に挿通させてリング状に形成されると共に、携帯機器固定ベルトを人体に装着した時に表面となる位置に無線機８を装着する装着金具１０を固定した摺動ベルト９とで構成されている。なお、摺動ベルト９と、これに挿通された２つの摺動金具７をこの例では摺動ベルト部１２と呼称する。
【００２３】
装着金具１０は金属の平板を断面Ｊ字型に折り曲げ、固定された時に表面となる位置に切欠を備えており、無線機８の裏面に固定され、フランジを備えた固定金具１１が、この装着金具１０と嵌合することにより、無線機８を摺動ベルト９に装着する構造となっている。
【００２４】
一方、長さ調節ベルト部４の端部は、摺動金具７のスリット５に挿通させて折り返し、縫い付けにより摺動金具７の一側を回動自在に係止している。前述のように摺動ベルト９はリング状となっているが、両端の長さ調節ベルト部４を両側に向かって引けば、これらのベルトは１本の肩ベルト３となる。
【００２５】
従って図１（Ａ）において、まず、バックル２で長さを調節して腰ベルト１を人体に装着し、続いて肩ベルト３を肩に掛けてから長さ調節具６で肩ベルト３全体の長さを調節する。このとき、装着金具１０の位置は人体の外側であれば任意の位置であってよい。
【００２６】
そして、無線機８を摺動ベルト９に装着した後、無線機８を装着金具１０と一緒に上下、つまり、摺動ベルト９を摺動させることにより、無線機８を使用上最も最適な位置に移動させる。摺動ベルト９は、人体の肩に密着した状態となっているため、長さ調節ベルト部４によって、その両端（摺動金具７）が一定の力で腰ベルト１に引っ張られている。
また、摺動ベルト９は、長さ調節具６を調節した後、ストッパ２０の装着によりベルトの摺動が抑制され、結果的に無線機８の位置を保持する構造となっている。
【００２７】
この無線機８の位置を保つために、本願では摺動ベルト９の内面同士を少なくとも一カ所で固定する機能を備えたストッパを用いている。このストッパには２つの方式があり、１つ目の方式は、摺動ベルト９の外面を押圧することにより対向する摺動ベルト９の内面同士を密着させ、この密着による摩擦力で摺動ベルト９の摺動を抑止する方法である。
【００２８】
この方式は比較的軽い荷重で摺動ベルト９の外面を押圧するだけで無線機８の位置を保つ事ができる。無線機８の荷重は図１（Ａ）では奥側の摺動金具７に掛かっている。そして、無線機８の自重により摺動しようとする力は、摺動ベルト９と摺動金具７との摩擦力によりかなり低減されている。従って、低減された残りの力を対向する摺動ベルト９の内面同士の摩擦力で相殺すればよいため、簡単で小さな保持力を備えた摺動抑止部からならるストッパを用いるだけで、摺動ベルトに装着されている携帯機器を摺動ベルトの任意の位置に移動及び係止することができる。
【００２９】
また、２つ目の方式は、対向する摺動ベルト９同士を係止する係止部を設ける方式である。この構造により、摺動ベルトに装着されている携帯機器を摺動ベルトの任意の位置に移動及び係止することができ、また、確実な係止が可能となる。
【００３０】
以下に摩擦力を利用するストッパの構造を図２と図３で示す２つの例と、係止を利用するストッパの構造を図４から図６の３つの例で説明する。摩擦力を利用するストッパの構造としては、図２のクリップ式ストッパの構造がある。
図２のストッパ２０は、例えば略Ｙ字型に打ち抜いたバネ性の薄板を折曲して形成されており、略Ｙ字型薄板のＶ字型部２１とＩ字型部２２とで対向する摺動ベルト９を挟み込む構造となっている。
【００３１】
図３は食込式ののストッパ３０であり、長方形の鋼板を断面コ字型に折曲形成したベース部３１と、長方形の鋼板を折曲して断面ヘ字型に折曲形成され短い方の鋼板端面に摺動ベルト９との摩擦力を高める鋸状の歯３２ａを備えた回動部３２とを備えている。
【００３２】
回動部３２は折曲され長い方の鋼板をベース部３１の断面コ字型の底辺と平行に配置され、鋸状の歯３２ａが断面コ字型の底辺と対向している。また、回動部３２は折曲された辺が回動の中心となるように両端面に軸が備えられており、ベース部３１には、この軸が挿通される孔が備えられている。
【００３３】
そして、摺動ベルト９はベース部３１と回動部３２との間に配置されている。従って回動部３２の折曲されて長い方の鋼板をベース部３１と垂直になるように回動すると摺動ベルト９は摺動自在になり、折曲されて長い方の鋼板をベース部３１と水平になるように回動すると摺動ベルト９に鋸状の歯３２ａが食込み、摺動ベルト９の摺動を抑止する。
なお、ベース部３１は裏側の摺動ベルト９に固定しておくと、さらに保持力が増加して確実な係止を行なうことができる。
【００３４】
図４は摺動ベルト９の内面同士を平面ファスナーで係止する構造を示しており、一方の摺動ベルト９内面の複数箇所に平面ファスナー４０を固定し、他方の内面に１枚の平面ファスナー４１を固定している。そして、摺動ベルト９の外側から押圧することにより、対向する平面ファスナー４０と４１とが係止され、摺動ベルト９の摺動を抑止する。
【００３５】
図５は表側の摺動ベルト９に設けられた複数の矩形孔５０と、これに挿通された金具とからなる係止部５２を示している。金具は細長の鋼板を断面コ字型に折曲して両腕とした支持金具５１と同支持金具５１の両腕に回動自在に軸支された楕円板５３で構成されている。
【００３６】
支持金具５１は両腕を摺動ベルト９の表側に突き出すようにして、断面コ字型の底面が裏側の摺動ベルト９の内面に固定されており、楕円板５３を回動させて摺動ベルト９と垂直にし、矩形孔５０に楕円板５３を挿通させた後、楕円板５３を回動させて摺動ベルト９と水平にする。この状態では楕円板５３が矩形孔５０より大きいために抜けることがなく、確実に摺動ベルト９の摺動を抑止できる。
【００３７】
図６は表側の摺動ベルト９に設けられた複数の矩形孔６０と、これに挿通された金具とからなる係止部６１を示している。金具は半円状のやや厚い金属板からなる半円板６２の端面に回動可能に回動軸６３の一端が軸支されており、この回動軸６３の他端は摺動ベルト９の裏側の内面に固定されている。
従って、半円板６２を矩形孔６０と平行となるように回動させ、半円板６２を矩形孔６０に挿通した後、半円板６２を９０度回動させると、半円板６２は矩形孔５０より大きいために抜けることがなく、確実に摺動ベルト９の摺動を抑止できる。
【００３８】
以上のような構造により、摺動ベルト９は、その内面同士の密着による摩擦力、またはその内面同士の係止構造により、無線機８の重量では摺動ベルト９を摺動させることはできず、無線機８は肩ベルト３の所定の位置に係止された状態となっている。
【００３９】
このように、携帯機器固定ベルトを一度人体に装着して肩ベルトの長さ全体を調節すれば、肩ベルトの長さを再調節しなくても携帯機器の上下位置を変更できる。
なお、本実施例では肩ベルトを例にして説明しているが、これに限るものでなく、腰ベルトなどに応用してもよい。この場合は、腰回りの任意の位置に携帯機器を装着でき、かつ、長さを再調節しないで装着位置を変更できる。
【図面の簡単な説明】
【００４０】
【図１】本発明による携帯機器固定ベルトの実施例を示しており、（Ａ）は携帯機器固定ベルト全体の斜視図、（Ｂ）はその要部斜視図である。
【図２】本発明による携帯機器固定ベルトのクリップ式ストッパの実施例である。
【図３】本発明による携帯機器固定ベルトの食込式ストッパの実施例である。
【図４】本発明による携帯機器固定ベルトの平面ファスナー式ストッパの実施例である。
【図５】本発明による携帯機器固定ベルトの回転式ストッパの実施例である。
【図６】本発明による携帯機器固定ベルトの他の回転式ストッパの実施例である。
【図７】従来の携帯機器固定ベルトを示しており、（Ａ）は携帯機器固定ベルト全体の斜視図、（Ｂ）はその要部斜視図である。
【図８】従来の携帯機器固定ベルトを示す斜視図であり、（Ａ）は携帯機器固定ベルト全体の斜視図、（Ｂ）は人体に装着した時の前方から見みた斜視図、（Ｃ）は人体に装着した時の後方から見た斜視図である。
【符号の説明】
【００４１】
１  腰ベルト
２  バックル
３  肩ベルト
４  調節ベルト部
５  スリット
６  調節具
７  摺動金具
８  無線機
９  摺動ベルト
１０  装着金具
１１  固定金具
１２  摺動ベルト部
２０  ストッパ
２１  Ｖ字型部
２２  Ｉ字型部
３０  ストッパ
３１  ベース部
３２  回動部
３２ａ  歯
４０  平面ファスナー
４１  平面ファスナー
５０  矩形孔
５１  支持金具
５１  同支持金具
５２  係止部
５３  楕円板
６０  矩形孔
６１  係止部
６２  半円板
６３  回動軸
【図１】
2006000364.tif 000003
【図２】
2006000364.tif 000004
【図３】
2006000364.tif 000005
【図４】
2006000364.tif 000006
【図５】
2006000364.tif 000007
【図６】
2006000364.tif 000008
【図７】
2006000364.tif 000009
【図８】
2006000364.tif 000010